(57)【要約】      （修正有）【課題】服用時に薬が患者等の口からこぼれ落ちることなく、持ち運びが容易な薬杯を提供する。【解決手段】液体以外の薬を飲む際に使用する薬杯１０に係る。薬杯１０は、薬を載せる底板部１１と、底板部の前方において底板部から立ち上がる、薬を服用者の口に案内するための案内部１２と、底板部の後方及び左右両側において立ち上がる後板部１５及び左右側板部１６とを備える。案内部は、案内底部１３と、案内底部の左右両側において案内底部から立ち上がる案内側部１４とを含む。案内底部の左右幅は、服用者の口に向かう方向に次第に狭まる。前記薬杯は、１枚の平坦状のシートから組み立てることができる。前記シートは、前記底板部となる原底板部と、前記案内部となる原案内部と、前記後板部及び前記左右側板部となる原後板部及び原左右側板部とを備える。【選択図】図１
0003211339.tif 000002
【実用新案登録請求の範囲】
【請求項１】
液体以外の薬を飲む際に使用する薬杯であって、
薬を服用者の口に案内するための案内部を備え、
前記案内部は、案内底部と、案内底部の左右両側において案内底部から立ち上がる案内側部とを含み、
前記案内底部の左右幅は、服用者の口に向かう方向に次第に狭まる薬杯。
【請求項２】
前記薬杯は、薬を載せる底板部を備え、
前記案内部は、前記底板部の前方において前記底板部から立ち上がり、
前記薬杯は、前記底板部の後方及び／又は左右両側において立ち上がる一つ又は複数の側板部を更に備える請求項１に記載の薬杯。
【請求項３】
前記案内部の案内底部は、前記底板部から前方斜めに立ち上がる請求項２に記載の薬杯。
【請求項４】
前記案内部の高さは、前記側板部の高さよりも高い請求項２又は３に記載の薬杯。
【請求項５】
前記側板部は、前記底板部の後方において前記底板部から立ち上がる後板部と、前記底板部の左右両側において前記底板部から立ち上がる左右側板部とを含む請求項２〜４のいずれか１項に記載の薬杯。
【請求項６】
前記薬杯は、１枚の平坦状のシートから組み立てることができ、
前記シートは、前記案内部となる原案内部を備え、
前記原案内部は、前記案内底部となる原案内底部と、前記案内側部となる原案内側部とを含む請求項１に記載の薬杯。
【請求項７】
前記薬杯は、１枚の平坦状のシートから組み立てることができ、
前記シートは、前記底板部となる原底板部と、前記案内部となる原案内部と、前記側板部となる原側板部とを備え、
前記原案内部は、前記案内底部となる原案内底部と、前記案内側部となる原案内側部とを含む請求項２〜５のいずれか１項に記載の薬杯。
【請求項８】
前記薬杯は、１枚の平坦状のシートから組み立てることができ、
前記シートは、前記底板部となる原底板部と、前記案内部となる原案内部と、前記後板部となる原後板部と、前記左右側板部となる原左右側板部とを備え、
前記原案内部は、前記案内底部となる原案内底部と、前記案内側部となる原案内側部とを含む請求項５に記載の薬杯。
【請求項９】
前記原左右側板部は第１スリットを有し、前記原案内側部は、前記第１スリットに差し込むための第１差し込み部を有する請求項８に記載の薬杯。
【請求項１０】
前記原後板部は、後板本体と、前記原左右側板部から後方に延び、前記後板本体に重ねるための左右の後板重ね部とを有し、
前記後板本体は第２スリットを有し、前記後板重ね部は、前記第２スリットに差し込むための第２差し込み部を含む請求項８又は９に記載の薬杯。
【考案の詳細な説明】
【技術分野】
【０００１】
本考案は薬杯、特に、錠剤、カプセル剤等の液体以外の薬やサプリメントを内服する際に使用する薬杯に関する。
【背景技術】
【０００２】
例えば結核等の患者の場合、１回に１０個以上の錠剤、カプセル剤等の薬を内服する必要がある。この際、患者は、一般に、ＰＴＰ（press through pack）包装シート、薬瓶等から薬を一錠ずつ取り出すが、この時に薬をとりこぼして床に落としてしまうような事態も珍しくない。また、薬の数や種類を間違えないように、すべての薬を、水薬用のカップ等に一旦入れた後に服用する場合もある。しかしながら、特に服用する薬の数が多い場合、患者がそのようなカップから薬を口に入れる際に薬がこぼれ落ちる場合があった。更に、前述のカップは立体形状であるため、持ち運びが不便であった。
【考案の概要】
【考案が解決しようとする課題】
【０００３】
本考案は、以上のような問題点に鑑みてなされたもので、その目的は、服用時に薬が患者等の口からこぼれ落ちることなく、持ち運びが容易な薬杯を提供することにある。
【課題を解決するための手段】
【０００４】
上記課題を解決するため、本考案によれば、液体以外の薬を飲む際に使用する薬杯であって、薬を服用者の口に案内するための案内部を備え、前記案内部は、案内底部と、案内底部の左右両側において案内底部から立ち上がる案内側部とを含み、前記案内底部の左右幅は、服用者の口に向かう方向に次第に狭まる薬杯が提供される。
【０００５】
本明細書中、本考案に係る薬杯の前後左右の方向付けについて、服用者の口にあてがう薬杯の案内部側を薬杯の前方といい、この時の服用者から見た左右を薬杯の左右、服用者から離れる、案内部とは反対側を後方という。
【０００６】
本考案において、液体以外の薬には、錠剤、カプセル剤、散剤等が含まれる他、サプリメント等の栄養補助剤等が含まれる。
【０００７】
本考案に係る薬杯を使用する場合、服用者又は補助者が服用する一つ又は複数の薬を、案内部の案内底部上に載せ、次いで、案内部の前方端を服用者の口にあてがい、薬杯の後部（服用者から遠い側）が高くなるように薬杯を傾ける。これにより、すべての薬が案合底部から服用者の口内に案内される。本考案では、案内底部の左右に案内側部が立ち上がり、また、案内底部の左右幅が服用者の口に向かって狭まるため、多数の薬であってもこぼれ落ちることなく容易に服用することができる。
【０００８】
本考案の一実施形態において、前記薬杯は、薬を載せる底板部を備え、前記案内部は、前記底板部の前方において前記底板部から立ち上がり、前記薬杯は、前記底板部の後方及び／又は左右両側において立ち上がる一つ又は複数の側板部を更に備える。この場合、薬杯の使用時において、薬は一旦底板部上に載せられ、ここで薬の数や種類を確認する。次いで、底板部を後方が高くなるように傾けることにより、薬を底板部上から案内部の案内底部上に移して服薬する。側板部は、底板部上の薬がこぼれ落ちるのを防ぐ。側板部は、底板部が前方辺、後方辺及び左右辺を有する四角形の場合、後方及び左右両側にそれぞれ設けることができ、また、底板部が例えば円形、楕円形状等の場合、一つの側板部が案内部が存在する前方以外の周囲を囲むように設計することができる。底板部から案内部及び一つ又は複数の側板部が立ち上がることにより、薬杯を、上方が開放する容器状とすることができる。前記側板部は、前記底板部の後方において前記底板部から立ち上がる後板部と、前記底板部の左右両側において前記底板部から立ち上がる左右側板部とを含むことができる。
【０００９】
本考案の一実施形態において、前記案内部の案内底部は、前記底板部から前方斜めに立ち上がる。この場合、案内部の案内底部が底板部から垂直に立ち上がる場合に比べ、底板部上の薬を案内底部上へと円滑に移すことができる。
【００１０】
本考案の一実施形態において、前記案内部の高さは、前記側板部の高さよりも高い。この場合、薬杯を容器状としつつ、案内部によって薬を服用者の口へと案内する長さを適切に確保することができる。
【００１１】
本考案の一実施形態において、前記薬杯は、１枚の平坦状のシートから組み立てることができ、前記シートは、前記案内部となる原案内部を備え、前記原案内部は、前記案内底部となる原案内底部と、前記案内側部となる原案内側部とを含む。この場合、シートを薬杯へと組み立てた時、シートの原案内底部及び原案内側部が薬杯の案内底部及び案内側部となる。また、使用者は、服薬時にシートから薬杯を組み立てて服薬し、その後、薬杯をシートに戻すことができる。これにより、例えば、シートを服薬ノートやお薬手帳に挟んでおくことができる等、持ち運びが容易となる。
【００１２】
本考案の一実施形態において、前記薬杯は、１枚の平坦状のシートから組み立てることができ、前記シートは、前記底板部となる原底板部と、前記案内部となる原案内部と、前記側板部となる原側板部とを備え、前記原案内部は、前記案内底部となる原案内底部と、前記案内側部となる原案内側部とを含む。この場合、シートを薬杯へと組み立てた時、シートの原底板部、原案内部、及び原側板部が薬杯の底板部、案内部及び側板部となり、また、シートの原案内底部及び原案内側部が薬杯の案内底部及び案内側部となる。
【００１３】
本考案の一実施形態において、前記薬杯は、１枚の平坦状のシートから組み立てることができ、前記シートは、前記底板部となる原底板部と、前記案内部となる原案内部と、前記後板部となる原後板部と、前記左右側板部となる原左右側板部とを備え、前記原案内部は、前記案内底部となる原案内底部と、前記案内側部となる原案内側部とを含む。この場合、シートを薬杯へと組み立てた時、シートの原底板部、原案内部、原後板部、及び原左右側板部が薬杯の底板部、案内部、後板部、及び左右側板部となり、また、シートの原案内底部及び原案内側部が薬杯の案内底部及び案内側部となる。
【００１４】
本考案の一実施形態において、前記原左右側板部は第１スリットを有し、前記原案内側部は、前記第１スリットに差し込むための第１差し込み部を有する。この場合、シートから薬杯を組み立てる際、第１差し込み部を第１スリットに差し込むことにより、底板部に対し立ち上がった案内部が左右側板部により支持される。
【００１５】
本考案の一実施形態において、前記原後板部は、後板本体と、前記原左右側板部から後方に延び、前記後板本体に重ねるための左右の後板重ね部とを有し、前記後板本体は第２スリットを有し、前記後板重ね部は、前記第２スリットに差し込むための第２差し込み部を含む。この場合、シートから薬杯を組み立てる際、第２差し込み部を第２スリットに差し込むことにより、後板本体に左右の後板重ね部が重なった状態で保たれ、これにより、底板部に対し立ち上がった左右側板部が左右の後板重ね部により支持される。
【００１６】
本考案の一実施形態において、前記原後板部は、後板本体と、左右の原側板部から後方に延び、後板本体に重ねるための左右の重ね部とを有し、前記後板本体は第２スリットを有し、前記重ね部は、前記第２スリットに差し込むための第２差し込み部を含む。
【考案の効果】
【００１７】
本考案に係る薬杯では、服薬時において、薬を案内部の案内底部上から服用者の口内に案内することができ、この時、案内底部の左右に案内側部が立ち上がり、また、案内底部の左右幅が服用者の口に向かって狭まるため、多数の薬であってもこぼれ落ちることなく容易に服用することができる。
【００１８】
また、本考案に係る薬杯を、１枚の平坦状のシートから組み立てることができるようにすることにより、服用者は、服薬時にシートから薬杯を組み立てて服薬し、その後、薬杯をシートに戻すことができる。そのため、例えば、シートを服薬ノートやお薬手帳に挟んでおくことができる等、立体形状の容器に比べ持ち運びが容易となる。
【図面の簡単な説明】
【００１９】
【図１】図１は、本考案の第１実施形態に係る薬杯の完成状態を示す斜視図である。
【図２】図２は、薬杯の側面図である。
【図３】図３は、薬杯へと組み立てることができる１枚の平坦状のシートを示す平面図であり、薬杯の展開図である。
【図４】図４は、シートを薬杯へと組み立てる途中の状態を示す斜視図であり、後板部が完成している状態を示す。
【図５】図５は、シートを薬杯へと組み立てる途中の状態を示す斜視図であり、案内部が完成している状態を示す。
【図６】図６は、薬杯に多数の薬を入れた状態を表す参考写真である。
【図７】図７は、本考案の第２実施形態に係る薬杯を示す斜視図である。
【図８】図８は、図７の薬杯となるシートを示す平面図である。
【図９】図９は、シートを薬杯へと組み立てる途中の状態を示す斜視図である。
【考案を実施するための形態】
【００２０】
以下、図面に基づいて本考案の好適な実施形態を説明するが、本考案はそれらの実施形態に限定されるものではなく、実用新案登録請求の範囲及び均等の範囲内において適宜変更等を行うことができる。図１は、本考案の第１実施形態に係る薬杯１０の完成状態を示す斜視図である。図２は薬杯１０の側面図である。図３は、薬杯１０へと組み立てることができる１枚の平坦状のシート１を示す平面図であり、薬杯１０の展開図である。薬杯１０は、シート１から組み立てて使用した後、初期状態のシート１に戻して、例えば服薬ノート、お薬手帳等に挟むなどして簡単に持ち運ぶことができる。薬杯１０となるシート１としては、樹脂製や紙製等のシートを用いることができるが、薬杯１０とシート１間の繰り返しの組み立て及び分解に耐えることができ、使用後に消毒布や水道水等で簡単に消毒や洗浄が可能である樹脂製シートが好ましい。本実施形態では、厚さ０．２ｍｍのポリプロピレンクラフトシートを用いたが、これに限定されるものではない。また、シート１の色は特に限定はされないが、本実施形態ではシート１の色を黒とした。これは、シート１の色が黒等の濃い色の場合、服用する薬の数や種類、シートの汚れ等を、シートが白等の薄い色や透明である場合よりも確認し易いためである。以下の説明において、薬杯１０の前後左右の方向付けについては、服用者の口にあてがう薬杯１０の後述する案内部１２側を薬杯１０の前方といい、この時の服用者から見た左右を薬杯１０の左右、服用者から離れる、案内部１２とは反対側を後方という。
【００２１】
薬杯１０は、前後方向に長い長方形の底板部１１と、底板部１１の前辺１１ａから立ち上がる前方の案内部１２と、底板部１１の後辺１１ｂから立ち上がる側板部の一つである後板部１５と、底板部１１の左右辺１１ｃから立ち上がる別の側板部である左右側板部１６（以下、（左右の）「側板部１６」という。）とを備え、上方に開放する容器状の形態を有する。底板部１１の大きさは、本実施形態では、大人の掌とほぼ同じかそれより少し小さい大きさとされる。薬杯１０は左右対称である。案内部１２は、底板部１１の前辺１１ａから立ち上がり、垂直に対し前方に若干傾斜する案内底部１３と、案内底部１３の左右辺１３ａから案内底部１３に対して立ち上がる左右の案内側部１４とを含む。左右の案内側部１４は、案内底部１３の上端辺１３ｂの左右両端から左右の側板部１６の前方部分の上辺１６ａへと高さが次第に低くなるように案内底部１３と左右の側板部１６の前方部分とを繋ぐ。案内底部１３が垂直に対し前方に傾斜する角度は、一例として約３０度であるが、これに限定されるものではない。案内底部１３は、底板部１１と接する底辺（底板部１１の前辺）１１ａからこれと平行な上端辺１３ｂへと左右幅が次第に縮小する台形状に形成される。案内側部１４の上辺１４ａは上方にわずかに凸となるように湾曲している。後板部１５及び左右の側板部１６は、底板部１１の後辺１１ｂ及び左右辺１１ｃからそれぞれほぼ垂直に立ち上がる。後板部１５と側板部１６は同じ高さである。案内部１２の高さは、後板部１５及び側板部１６の高さよりも高く、本実施形態では、案内部１２の高さは後板部１５及び側板部１６の高さの約２倍である。
【００２２】
詳しくは後述するが、左右の側板部１６の前方かつ下方には斜めの第１スリット２０が設けられている。第１スリット２０は、垂直に対し前方かつ下方に約４５度斜めとなる。薬杯１０において、案内部１２の案内側部１４の一部である第１差し込み部２１が第１スリット２０に対し側板部１６の外側から内側に差し込まれている。また、後板部１５は、内側の後板本体１５ａと、左右の側板部１６から後方に延び、後板本体１５ａに外側から重なる左右の後板重ね部１５ｂとを含む。後板本体１５ａには、その上辺から下方に垂直に入れられた二つの第２スリット３０が設けられる。薬杯１０において、左右の後板重ね部１５ｂの一部である第２差し込み部３１が第２スリット３０に対し外側から内側に差し込まれている。
【００２３】
次に、図３を参照して、薬杯１０となるシート１について説明する。シート１は、薬杯１０の底板部１１となる長方形状の原底板部１１Ａと、薬杯１０の案内部１２となる前方の原案内部１２Ａと、後板部１５となる後方の原側板部の一つである原後板部１５Ａと、左右の側板部１６となる別の原側板部である原左右側板部１６Ａ（以下、（左右の）「原側板部」１６Ａという。）とを備える。原案内部１２Ａは、薬杯１０の案内底部１３となる原案内底部１３Ａと、左右の案内側部１４となる左右の原案内側部１４Ａとを含む。原案内底部１３Ａは、原底板部１１Ａの前辺１１ａ（辺については薬杯１０とシート１とで同じ参照番号を付す。以下、同じ。）から前方へと台形状に突き出ており、その前端辺１３ｂは原底板部１１Ａの前辺１１ａに平行な直線状で、前辺１１ａよりも短い。左右の原案内側部１４Ａは、左右の原側板部１６Ａの左右端辺１６ａ（側板部１６の上辺）から前方に延長する直線辺１４ｂと、直線辺１４ｂの前端と原案内底部１３Ａの前端辺１３ｂの左右両端とを湾曲状に繋ぐ曲線辺１４ａとを有する。曲線辺１４ａは、外側にわずかに凸となるように湾曲し、薬杯１０において案内側部１４の上辺１４ａとなる。
【００２４】
原案内底部１３Ａと左右の原案内側部１４Ａとの間には谷折り目１３ａが設けられている。谷折り目１３ａは、薬杯１０における案内底部１３の左右辺１３ａに対応するため、便宜的に同じ番号を付す。以下、同様に折り目と辺とが対応する場合、同じ参照番号を付す。また、本明細書中、谷折り目は、シート１の上を向く表面同士が折り目を介して近づく折り目をいい、後述する山折り目は、シート１の下を向く裏面同士が折り目を介して近づく折り目をいう。左右の原案内側部１４Ａは、左右の原側板部１６Ａと斜め山折り目１６ｂを介して接している。斜め山折り目１６ｂは、原底板部１１Ａの前辺１１ａの左右両端から後方かつ左右外側へと直線状に延びる。斜め山折り目１６ｂは、原底板部１１Ａの左右辺１１ｃに対し約４５度傾斜する。原底板部１１Ａと左右の原側板部１６Ａとの間には谷折り目１１ｃが設けられる。この谷折り目１１ｃの前後方向中間点より前方から左右の原側板部１６Ａへと斜め山折り目１６ｂとほぼ平行に第１スリット２０が入れられる。第１スリット２０の、谷折り目１１ｃから離れる側の端は、各原側板部１６Ａにおける左右方向中間点よりもわずかに内側（原底板部１１Ａの中心に向かう側）にある。左右の原案内側部１４Ａは、原底板部１１Ａの前辺１１ａから延長する谷折り目１４ｃを有する。左右の原案内側部１４Ａは、シート１を薬杯１０に組み立てた際、左右の側板部１６の前方部分の外側に重なる三角形状の側板重ね部１７を含む。側板重ね部１７は、斜め山折り目１６ｂと、谷折り目１４ｃと、左右の原側板部１６Ａの左右端辺１６ａとで囲まれる三角形状の部分である内側重ね部１７ａと、谷折り目１４ｃを介して内側重ね部１７ａと対称となる三角形状の外側重ね部１７ｂとを含む。内外側重ね部１７ａ、１７ｂにおける谷折り目１４ｃの左右端辺１６ａ付近は、シート１を薬杯１０とする際、第１スリット２０に差し込む第１差し込み部２１となる。第１差し込み部２１は図３において便宜的に網掛けで示すが、図３及び８における後述する第２差し込み部３１についても同じである。
【００２５】
原底板部１１Ａと原後板部１５Ａとの間には谷折り目１１ｂが設けられる。原後板部１５Ａは、谷折り目１１ｂと平行な後端辺１５ｃを有する。原後板部１５Ａは、薬杯１０における後板本体１５ａとなる左右に長い長方形状の原後板本体１５ａＡと、左右の後板重ね部１５ｂとなる左右のほぼ正方形状の原後板重ね部１５ｂＡとを含む。原後板本体１５ａＡには、後端辺１５ｃから前方へと二つの第２スリット３０が入れられる。二つの第２スリット３０は、原後板本体１５ａＡの後端辺１５ｃを左右方向にほぼ３分割する位置にて、原後板本体１５ａＡの前後中間点に届かない位置まで設けられる。原後板本体１５ａＡと左右の原後板重ね部１５ｂＡとの間には、原底板部１１Ａの左右辺の谷折り目１１ｃから延長する山折り目１５ｄが設けられる。左右の原後板重ね部１５ｂＡは、左右の原側板部１６Ａの左右端辺１６ａから延長する左右端辺１６ａ（便宜的に原側板部１６Ａの左右端辺１６ａと同じ参照番号を付す。）を有する。各原後板重ね部１５ｂＡには、山折り目１５ｄと谷折り目１１ｂとの交点から後端辺１５ｃと左右端辺１６ａとが交差する角へと延びる谷折り目１５ｅが設けられる。各原後板重ね部１５ｂＡは、谷折り目１５ｅと山折り目１５ｄとの間の三角形状の部分である内側重ね部１８ａと、谷折り目１５ｅ、１１ｂ間の三角形状の部分である外側重ね部１８ｂとを有する。内外側重ね部１８ａ、１８ｂにおける谷折り目１５ｅの、左右端辺１６ａと後端辺１５ｃとがなす角付近は、シート１を薬杯１０とする際、第２スリット３０に差し込む第２差し込み部３１となる。
【００２６】
次に、図３に示すシート１から図１等に示す薬杯１０へと組み立てる工程について説明する。図４は、シート１から薬杯１０を組み立てる途中の斜視図であり、案内部１２が未完成であり、後板部１５が完成した状態を示す。図５は、シート１から薬杯１０を組み立てる途中の斜視図であり、案内部１２が完成した状態であり、後板部１５が未完成の状態である。なお、後述するように第１スリット２０に第１差し込み部２１を差し込むことにより、案内部１２が完成し、第２スリット３０に第２差し込み部３１を差し込むことにより、後板部１５が完成するが、案内部１２を先に組み立てても後板部１５を先に組み立ててもよい。従って、図４及び５は組立ての順番を示すものではない。また、薬杯１０として完成した状態における符号、例えば、底板部、案内部、後板部の符号１１、１２、１５と、シート１又は未完成状態におけるそれらに対応する符号１１Ａ、１２Ａ、１５Ａは説明の便宜のために区別するもので、両者は同じものである。そのため、両者を厳密に区別する必要はない。図３を参照して、原底板部１１Ａの前後左右の谷折り目１１ａ、１１ｂ、１１ｃから原案内部１２Ａ、原後板部１５Ａ、及び左右の原側板部１６Ａを立ち上げる。これに伴い、原案内部１２Ａにおいて、左右の原案内側部１４Ａが谷折り目１３ａから原案内底部１３Ａに対し若干、すなわち不完全に立ち上がる（図４参照）。また、各原案内側部１４Ａと各原側板部１６Ａとがこの間の斜め山折り目１６ｂから若干山折りされると共に、各原案内側部１４Ａが谷折り目１４ｃから若干谷折りされる。この状態から、案内側部１４の第１差し込み部２１を左右の原側板部１６Ａの第１スリット２０に差し込むことにより、案内側部１４が原側板部１６Ａに支持され、原案内部１２Ａが案内部１２として底板部１１に対し立ち上がった状態で保持される（図５参照）。同時並行で、シート１から原後板部１５Ａが山折り目１５ｄから山折りされ、また、左右の後板重ね部１５ｂが谷折り目１５ｅから谷折りされる（図５参照）。次いで、左右の後板重ね部１５ｂの第２差し込み部３１を後板本体１５ａの第２スリット３０に差し込むことにより、後板本体１５ａの外側に左右の後板重ね部１５ｂが重なった状態となる（図４参照）。これにより、底板部１１に対し立ち上がった状態の後板部１５によって左右の後板重ね部１５ｂを介して左右の側板部１６が底板部１１に対し立ち上がった状態で保持される。以上のようにして図１の薬杯１０が完成する。
【００２７】
次に薬杯１０の使用方法の一例について説明する。まずシート１から薬杯１０を組み立てた後、薬杯１０の底板部１１上に服用する錠剤、カプセル剤等をすべて載せる。この状態が図６の参考写真に表される。ここで、薬の数や種類が間違っていないかを確認する。次いで、薬杯１０を持ち上げ、薬杯１０の案内部１２を服用者の口にあてがい、底板部１１の後部が高くなるように底板部１１を傾ける。これにより、底板部１１上の薬が案内部１２の案内底部１３上に移り、次いで服用者の口内に案内される。案内部１２は、案内底部１３の左右に案内側部１４が立ち上がり、また、案内底部１３の左右幅が服用者の口に向かって狭まるため、多数の薬であってもこぼれ落ちることなく容易に服用することができる。使用後は薬杯１０をシート１に戻して例えば、シートを服薬ノート等に挟むなどして容易に持ち運ぶことができる。なお、薬杯１０を必ずしも完成状態で使用する必要はなく、例えば、図４又は図５の未完成状態でも薬の服用に用いることができる。
【００２８】
図７は、本考案に係る薬杯の別の実施形態を示す斜視図である。図７の薬杯１１０は、底板部を兼ねる案内底部１１３と、案内底部１１３の左右両側にて案内底部１１３から立ち上がる、左右側板部を兼ねる左右の案内側部１１４と、案内底部１１３の後方にて案内底部１１３から立ち上がる側板部の一つである後板部１１５とを備える。案内底部１１３と案内側部１１４が案内部１１２をなす。案内底部１１３の左右幅は前方へと次第に狭くなる。また、左右の案内側部１１４は、前方部分において高さが前端へと次第に低くなるように設計される。薬杯１１０では、使用時にすべての薬を案内底部１１３上に置き、ここで薬の数や種類を確認する。次いで、薬杯１１０を持ち上げ、案内底部１１３の前端を口にあてがい、薬杯１１０の後方が高くなるように薬杯１１０を傾けることにより、薬が案内底部１１３から服用者の口内に案内される。
【００２９】
図８は、薬杯１１０となるシート１０１の平面図である。シート１０１は、案内底部１１３となる原案内底部１１３Ａと、左右の案内側部１１４となる原案内側部１１４Ａと、後板部１１５となる原側板部としての原後板部１１５Ａとを備える。原案内底部１１３Ａと原案内側部１１４Ａが原案内部１１２Ａをなす。図８中、参照番号１１３ａは原案内底部１１３Ａと原案内側部１１４Ａとの間の谷折り目であり、参照番号１１１ｂは原案内部１１２Ａと原後板部１１５Ａとの間の谷折り目である。原後板部１１５Ａの構成は、既述した第１実施形態の薬杯１０となるシート１の原後板部１５Ａと実質的に同じであるため、シート１と同じ参照番号を付して説明を省略する。シート１０１から薬杯１１０を組み立てる場合、まず、原案内底部１１３Ａに対し谷折り目１１３ａから左右の原案内側部１１４Ａを立ち上げ、また、原案内底部１１３Ａに対し谷折り目１１１ｂから原後板部１１５を立ち上げる。この時、更に、原後板部１１５Ａが山折り目１５ｄから山折りされ、また、左右の後板重ね部１５ｂが谷折り目１５ｅから谷折りされる。この状態を図９に示す。この状態から、左右の後板重ね部１５ｂの第２差し込み部３１を後板本体１５ａの第２スリット３０に差し込むことにより、薬杯１１０が完成する。
【符号の説明】
【００３０】
１、１０１  シート
１０、１１０  薬杯
１１  底板部
１２、１１２  案内部
１３、１１３  案内底部
１４、１１４  案内側部
１５、１１５  後板部（側板部）
１５ａ  後板本体
１５ｂ  後板重ね部
１６  左右側板部（側板部）
２０  第１スリット
２１  第１差し込み部
３０  第２スリット
３１  第２差し込み部
１１Ａ  原底板部
１２Ａ、１１２Ａ  原案内部
１３Ａ、１１３Ａ  原案内底部
１４Ａ、１１４Ａ  原案内側部
１５Ａ、１１５Ａ  原後板部（原側板部）
１６Ａ  原左右側板部（原側板部）
【図１】
0003211339.tif 000003
【図２】
0003211339.tif 000004
【図３】
0003211339.tif 000005
【図４】
0003211339.tif 000006
【図５】
0003211339.tif 000007
【図６】
0003211339.tif 000008
【図７】
0003211339.tif 000009
【図８】
0003211339.tif 000010
【図９】
0003211339.tif 000011